(57)【要約】【課題】ネットワークの利用状況を反映し利用者への影響が少ないネットワーク切替を実行できるネットワーク切替制御方法および装置を提供する。【解決手段】複数のネットワークエレメントからなるネットワークを管理するネットワーク管理システム（１２）におけるネットワーク切替制御装置（１００）は、各ネットワークエレメントから伝送路の状態に関する監視データを取得して格納する監視データデータベース（１０１）と、監視データの変化から監視データが所定の切替基準閾値を超える時刻を予測する監視データ変化予測部（１０２）と、予測時刻がネットワーク全体の利用状況が所定閾値より低下すると予測される予測時間帯に入ればネットワーク切替を実行する判定部（１０３）と、を有する。【選択図】図３
2013098706.tif 000002
【特許請求の範囲】
【請求項１】
複数のネットワークエレメントからなるネットワークを管理するネットワーク管理システムにおけるネットワーク切替制御装置であって、
前記ネットワークの各ネットワークエレメントから伝送路の状態に関する監視データを取得して格納する格納手段と、
前記監視データの変化から監視データが所定の切替基準閾値を超える時刻を予測する監視データ変化予測手段と、
前記予測時刻が前記ネットワーク全体の利用状況が所定閾値より低下すると予測される予測時間帯に入れば前記ネットワーク切替を実行する判定手段と、
を有することを特徴とするネットワーク切替制御装置。
【請求項２】
前記監視データは、性能監視データおよび／またはトラフィックデータを含むことを特徴とする請求項１に記載のネットワーク切替制御装置。
【請求項３】
前記監視データ変化予測手段は、前記性能監視データの変化から前記予測時間を計算し、前記トラフィックデータの変化から前記予測時間帯を計算することを特徴とする請求項２に記載のネットワーク切替制御装置。
【請求項４】
複数のネットワークエレメントからなるネットワークを管理するネットワーク管理システムにおけるネットワーク切替制御方法であって、
前記ネットワークの各ネットワークエレメントから伝送路の状態に関する監視データを取得して格納手段に格納し、
前記監視データの変化から監視データが所定の切替基準閾値を超える時刻を予測し、
前記予測時刻が前記ネットワーク全体の利用状況が所定閾値より低下すると予測される予測時間帯に入れば前記ネットワーク切替を実行する、
ことを特徴とするネットワーク切替制御方法。
【請求項５】
前記監視データは、性能監視データおよび／またはトラフィックデータを含むことを特徴とする請求項４に記載のネットワーク切替制御方法。
【請求項６】
前記性能監視データの変化から前記予測時間を計算し、前記トラフィックデータの変化から前記予測時間帯を計算することを特徴とする請求項５に記載のネットワーク切替制御方法。
【請求項７】
複数のネットワークエレメントからなるネットワークを管理するネットワーク管理システムにおけるネットワーク切替制御装置としてコンピュータを機能させるプログラムであって、
前記ネットワークの各ネットワークエレメントから伝送路の状態に関する監視データを取得して格納手段に格納する格納機能と、
前記監視データの変化から監視データが所定の切替基準閾値を超える時刻を予測する監視データ変化予測機能と、
前記予測時刻が前記ネットワーク全体の利用状況が所定閾値より低下すると予測される予測時間帯に入れば前記ネットワーク切替を実行する判定機能と、
を前記コンピュータに実現することを特徴とするプログラム。
【請求項８】
前記監視データは、性能監視データおよび／またはトラフィックデータを含むことを特徴とする請求項７に記載のプログラム。
【請求項９】
前記監視データ変化予測機能は、前記性能監視データの変化から前記予測時間を計算し、前記トラフィックデータの変化から前記予測時間帯を計算することを特徴とする請求項８に記載のプログラム。
【請求項１０】
請求項１−３のいずれか１項に記載のネットワーク切替制御装置を含むネットワーク管理システム。
【発明の詳細な説明】
【技術分野】
【０００１】
本発明はネットワーク管理システム（ＮＭＳ）に係り、特に複数の伝送装置からなるネットワークにおけるパスやチャネルあるいは通信機器等のネットワーク切替制御方法および装置に関する。
【背景技術】
【０００２】
一般に、コアネットワークにおけるパスは常時監視されており、現在のルートで通信品質が劣化すると、他のルートへ切り替えて通信を維持する切替制御が行われる。しかしながら、この通信品質の劣化判定は閾値との比較により行われるので、ネットワークの利用状況が考慮されておらず、ネットワーク利用者が多い時間帯に切替が発生する場合がある。パス切替時には、たとえば５０ｍｓ以内の瞬時の主信号切断（瞬断）が発生するので、利用者が多い時間帯にパス切替が発生すると多くの利用者に影響が及ぶ。そこで、利用者への影響を少なくする切替制御が提案されている。
【０００３】
たとえば、特許文献１に開示されている切替制御は、深夜帯のように利用者への影響が少ない特定の時間帯を予め決めておき、その時間帯でのみパス切替を実行する。より詳しくは、過去のデータから回線品質の変動を予測して切替が発生するおおよその時刻を計算し、その予測時刻が深夜帯であれば切替を実行する（特許文献１の段落００４３−００４４）。
【先行技術文献】
【特許文献】
【０００４】
【特許文献１】特開２０１１−１５５５３３号公報
【発明の概要】
【発明が解決しようとする課題】
【０００５】
特許文献１に開示されたパス切替では、一つの伝送装置内の受信系において切替判定が行われており、その伝送装置内での冗長パスの切替に限定される。したがって、利用者への影響が少ない状況でパス切替を行おうとすれば、深夜帯のような特定の時間帯を予め設定することが必要である。
【０００６】
しかしながら、深夜帯に利用者が少ないことが多いとしても常にそうであるとも限らないし、逆に深夜帯以外の時間帯でも利用者が少なくなる場合もある。したがって、特許文献１のような切替制御では、必ずしもネットワークの利用状況を反映したものとはならない。
【０００７】
そこで、本発明の目的は、ネットワークの利用状況を反映し利用者への影響が少ないネットワーク切替を実行できるネットワーク切替制御方法および装置を提供することにある。
【課題を解決するための手段】
【０００８】
本発明によるネットワーク切替制御装置は、複数のネットワークエレメント（ＮＥ：伝送装置、通信装置など）からなるネットワークを管理するネットワーク管理システムにおけるネットワーク切替制御装置であって、前記ネットワークの各ＮＥから伝送路の状態に関する監視データを取得して格納する格納手段と、前記監視データの変化から監視データが所定の切替基準閾値を超える時刻を予測する監視データ変化予測手段と、前記予測時刻が前記ネットワーク全体の利用状況が所定閾値より低下すると予測される予測時間帯に入れば前記ネットワーク切替を実行する判定手段と、を有することを特徴とする。
【０００９】
本発明によるネットワーク切替制御方法は、複数のＮＥからなるネットワークを管理するネットワーク管理システムにおけるネットワーク切替制御方法であって、前記ネットワークの各ＮＥから伝送路の状態に関する監視データを取得して格納手段に格納し、前記監視データの変化から監視データが所定の切替基準閾値を超える時刻を予測し、前記予測時刻が前記ネットワーク全体の利用状況が所定閾値より低下すると予測される予測時間帯に入れば前記ネットワーク切替を実行する、ことを特徴とする。
【発明の効果】
【００１０】
本発明によれば、ネットワークの利用状況を反映し利用者への影響が少ないネットワーク切替を実行できる。
【図面の簡単な説明】
【００１１】
【図１】図１は本発明によるネットワーク切替制御装置を備えたネットワーク管理システムを有するネットワークの全体的構成図である。
【図２】図２（Ａ）は本発明を適用可能なネットワークの一例を示すネットワーク図、図２（Ｂ）は本発明を適用可能なネットワークの他の例を示すネットワーク図、図２（Ｃ）はネットワーク内の冗長パスを例示したネットワーク図である。
【図３】図３は本発明の一実施形態によるネットワーク切替制御装置の構成を示すブロック図である。
【図４】図４は本発明の第１実施形態によるネットワーク切替制御方法を示すフローチャートである。
【図５】図５は本実施形態における切替適／不適の時間帯の一例を示すタイムチャートである。
【図６】図６は本発明の第１実施例によるネットワーク切替制御方法を示すフローチャートである。
【図７】図７は本発明の第２実施例によるネットワーク切替制御方法を示すフローチャートである。
【図８】図８は本発明の第３実施例によるネットワーク切替制御方法を示すフローチャートである。
【図９】図８は本発明の第２実施形態によるネットワーク切替制御方法を示すフローチャートである。
【発明を実施するための形態】
【００１２】
本発明によれば、ネットワーク管理システム（ＮＭＳ: Network Management System）にネットワーク切替制御機能を設けることで、ネットワーク内のすべてのＮＥの回線品質等の管理情報を監視することができ、ネットワークの利用状況を反映し利用者への影響が少ないネットワーク切替制御が可能となる。以下、本発明の実施形態によるシステム構成および動作について詳細に説明する。
【００１３】
１．システム
１．１）ネットワーク
図１に示すように、コアネットワーク１０は複数のネットワークエレメンＮＥ１〜ＮＥｎからなり、各ＮＥは監視ネットワーク１１を通してネットワーク管理システムサーバ１２（以下、ＮＭＳ１２と略記する。）により管理される。ＮＥには、対抗するＮＥとの間の伝送路の回線品質などの性能情報や接続情報などの監視情報を取得する機能が設けられ、取得された監視情報が監視ネットワーク１１を通してＮＭＳ１２へ送信される。
【００１４】
ＮＭＳ１２にはネットワーク自動切替制御装置１００が設けられている。ネットワーク自動切替制御装置１００は、ＮＭＳ１２により収集されたコアネットワーク１０の性能情報や回線情報などの監視情報を用いて、後述するようにネットワーク切替を制御する。
【００１５】
監視ネットワーク１１の具体例を図２（Ａ）および図２（Ｂ）に示す。ここでは、簡単のためにコアネットワーク１０が３つのＮＥからなる場合を示す。
【００１６】
図２（Ａ）にはＤＣＮ（Data Communication Network)の代表的な構成が例示されている。伝送装置ＮＥ１とＮＥ２とは光ファイバなどの伝送路ｆ１で、伝送装置ＮＥ２とＮＥ３とは伝送路ｆ２で、伝送装置ＮＥ１とＮＥ３とは伝送路ｆ３で、それぞれ接続されている。伝送装置ＮＥ１〜ＮＥ３はルータＲとＬＡＮケーブルｄ１〜ｄ３によって、ＮＭＳ１２と接続される。これによりＮＭＳ１２は伝送装置ＮＥ１〜ＮＥ３のアラームや回線品質データｋ１〜ｋ６などを受信することができる。このように、ＮＭＳ１２が、ルータＲやＬＡＮケーブルｄ１〜ｄ３を通して各伝送装置ＮＥを直接監視するようなネットワーク構成をアウトバウンド(Outbound)構成という。伝送装置ＮＥ１〜ＮＥ３でそれぞれ測定された伝送路の回線品質データｋ１〜ｋ６は、ルータＲおよびＬＡＮケーブルｄ１〜ｄ３を通してＮＭＳ１２へ送信される。
【００１７】
ルータＲとＬＡＮケーブルｄ１〜ｄ３が用意できない場合には、図２（Ｂ）に示すように、ＮＭＳ１２は伝送路ｆ４およびｆ６を経由して各伝送装置ＮＥを監視することもできる。例えば、伝送装置ＮＥ５は、ＬＡＮケーブルｄ２、伝送装置ＮＥ４および伝送路ｆ４を経由して監視され、同様に伝送装置ＮＥ６はＬＡＮケーブルｄ２、伝送装置ＮＥ４および伝送路ｆ６を経由して監視される。図２（Ｂ）に示すようなネットワーク構成をインバウンド(Inbound)構成という。
【００１８】
なお、図２（Ａ）および（Ｂ）において、ＮＭＳ１２から直接監視される伝送装置ＮＥをＧＮＥ(Gateway NE)と呼び、ＧＮＥを経由して監視されるＮＥをＲＮＥ(Remote NE)と呼ぶ。図２（Ｂ）において、ＲＮＥのアラームや回線品質データなどの情報は、ＧＮＥとＲＮＥとの間のＤＣＣ(Data Communication Channel)と伝送路ｄ２を通してＮＭＳ１２へ転送される。
【００１９】
本発明が解決すべき課題との関連では、図２（Ａ）に示すような冗長なＧＮＥを有するＤＣＮの場合、予備のＧＮＥに切り替えるまでの間、伝送装置ＮＥを監視出来ない時間帯が発生する。したがって、端末使用するオペレータが多い時間帯にＧＮＥの切替を行うと、多くのオペレータの作業に影響が出てしまう。図２（Ｂ）に示すようなＤＣＣの場合においても、伝送路の回線品質の劣化によりＤＣＣ帯域を確保できなくなると、アラームや回線品質データが読み込めず、ＮＭＳ、ＧＮＥおよびＲＮＥの間でやりとりが出来なくなることで端末からＲＮＥを監視できなくなる。
【００２０】
また、コアネットワーク１０がＳＯＮＥＴ／ＳＤＨ(Synchronous Optical NETwork/Synchronous Digital Hierarchy)方式であれば、図２（Ｃ）に示すように、主信号パスｐ１に障害が発生すると、予備パスｐ２へ切り替えることで通信を維持することができる。切替え時には５０ｍｓ以内の瞬断が発生し主信号に影響が出る。なお、主信号の品質劣化は、伝送路や装置内接続用いられる光ファイバの曲げや引っ張り、あるいは伝送装置の部品の経年劣化による光送受信特性の劣化が原因となることもあるが、これらによる品質劣化はゆっくりと進行するためある程度の予測が可能である。
【００２１】
１．２）ネットワーク自動切替制御装置
図３に示すように、ＮＭＳ１２にはネットワーク自動切替制御装置１００あるいはそれと同等の機能が設けられている。ネットワーク自動切替制御装置１００は、ネットワーク１０から収集した回線品質等の監視データを格納する監視データデータベース１０１、監視データから変化を予測する監視データ変化予測部１０２、監視データ変化の予測値から切替判定を行う判定部１０３、ＮＥへ切替を指示するタイミングをスケジューリングするスケジューラ１０４、および、制御部１０５を機能的に有しており、監視ネットワーク１１と接続するネットワークインタフェース１０６を通してネットワーク１０から監視データを取得する。
【００２２】
なお、監視データ変化予測部１０２、判定部１０３、スケジューラ１０４および制御部１０５と同等の機能は、図示しないメモリに格納されたプログラムをコンピュータ上で実行することにより実現することもできる。
【００２３】
２．第１実施形態
図４において、ネットワーク自動切替制御装置１００の制御部１０５は、コアネットワーク１０の各ＮＥから所定の監視項目の監視データを監視ネットワーク１１を通して収集し、監視データデータベース１０１に格納する（ステップ２０１）。監視項目は、ここではネットワーク切替判定に寄与する項目を含み、具体的には監視ネットワークや各ＮＥの各伝送路についての回線品質、使用帯域、トラフィック量などである。
【００２４】
続いて、制御部１０５は、監視データデータベース１０１に蓄積された所定監視項目の蓄積データ量が予測計算できる程度に蓄積されたか否かを判断する（ステップ２０２）。予測計算可能なデータが蓄積されれば（ステップ２０２；Ｙｅｓ）、監視データ変化予測部１０２は、制御部１０５の指示に従って、回線品質や使用帯域などの性能モニタ値を示す監視データから変化予測計算を実行し、性能モニタ値が切替判定基準値（閾値）を超えて劣化する時刻ｔを予測する（ステップ２０３）。
【００２５】
変化予測計算には外挿法により求まる近似式を利用する。すなわち、蓄積した監視データの変化を検出し、それを外挿することで監視データがどの時刻で閾値を超えるか否かを予測することができる。
【００２６】
予測時刻ｔが算出されると、判定部１０３は、制御部１０５の制御の下で、予測時刻ｔが直近の利用者が少ない時間帯（ｔ１からｔ２の間：［ｔ１，ｔ２］）にあるかどうかを判定し、その結果を制御部１０５へ返す（ステップ２０４）。予測時刻ｔが時間帯［ｔ１，ｔ２］内であれば（ステップ２０４；Ｙｅｓ）、制御部１０５の指示により、スケジューラ１０４は直近の時間帯［ｔ１，ｔ２］内でネットワーク切替を実行するようにスケジューリングする（ステップ２０５）。予測時刻ｔが時間帯［ｔ１，ｔ２］内でなければ（ステップ２０４；Ｎｏ）、スケジューラ１０４は次の利用者が少ない時間帯［ｔ１，ｔ２］でネットワーク切替を実行するようにスケジューリングする（ステップ２０６）。
【００２７】
こうしてスケジューリングされた時刻に到達すれば（ステップ２０７；Ｙｅｓ）、制御部１０５はＧＮＥに対して切替を指示する（ステップ２０８）。
【００２８】
なお、直近の利用者が少ない時間帯［ｔ１，ｔ２］は、ネットワーク１０からの監視データから動的に決定されうるものであり、たとえば図５に示すように、午前０時から早朝６時までの時間帯内である可能性が高い。
【００２９】
２．１）第１実施例
本発明の第１実施例によるネットワーク自動切替制御方法について、図２（Ａ）に示すネットワークを一例として説明する。本発明の第１実施例によれば、ネットワークの回線品質の劣化をモニタすることで切替判定基準の閾値より低下する時刻を予測する。
【００３０】
図２（Ａ）において、伝送装置ＮＥ１〜ＮＥ３には、各伝送路の回線品質データを測定する測定部がそれぞれ設けられている。伝送装置ＮＥ１では、回線品質データｋ１およびｋ２が測定され、伝送装置ＮＥ２では回線品質データｋ３およびｋ４が、伝送装置ＮＥ３では回線品質データｋ５およびｋ６がそれぞれ測定される。こうして測定された回線品質データｋ１−ｋ６がＤＣＮを通してＮＭＳ１２へ送信される。
【００３１】
図６において、ネットワーク自動切替制御装置１００の制御部１０５は、回線品質データｋ１−ｋ６を監視ネットワーク１１を通して収集し、監視データデータベース１０１に格納する（ステップ３０１）。監視データデータベース１０１に蓄積された回線品質データｋ１−ｋ６がそれぞれ予測計算可能な量だけ蓄積されると（ステップ３０２；Ｙｅｓ）、監視データ変化予測部１０２は、蓄積された回線品質データから回線品質の傾向を検出し、外挿法によりこれからの変化を予測して回線品質が閾値を超えて劣化する時刻ｔを予測する（ステップ３０３）。以下、ステップ３０４−３０８は、上述した図４のステップ２０４−２０８と同様であるから説明は省略する。
【００３２】
２．２）第２実施例
本発明の第２実施例によるネットワーク自動切替制御方法について、図２（Ａ）に示すネットワークを一例として説明する。本発明の第２実施例によれば、回線品質データの代わりに各伝送装置ＮＥからＮＭＳ１２へ送信されるアラームなどのデータ量を用いてネットワークの帯域測定を行い、ネットワークの状態を判断する。すなわち、図２（Ａ）において、ＤＣＮのネットワーク状態の監視するには、例えばＮＭＳ１２とＮＥ１との間の帯域測定をする。すなわち、各ＮＥからＮＭＳ１２へ送信されるアラームが１ｋビットのファイルであるとすれば、ＮＥ１のアラーム送信開始時刻とＮＭＳ１２の受信完了時刻との差分から帯域を測定できる。たとえば、アラーム送信開始から受信完了までの時間差分が１秒であれば帯域は１ｋｂｐｓとなる。
【００３３】
図７において、ネットワーク自動切替制御装置１００の制御部１０５は、各ＮＥから送信されるアラームを監視ネットワーク１１を通して受信し、そのアラーム送信開始から受信完了までの時間差分ＤからＤＣＮの使用帯域を測定して監視データデータベース１０１に格納する（ステップ４０１）。帯域計算式は次の通りである：
帯域[bps]＝アラームデータ量[bit]／Ｄ
ここで、Ｄ＝NMS12の受信完了時刻[s]−NEの送信開始時刻[s]である。
【００３４】
監視データデータベース１０１に蓄積された帯域測定値がそれぞれ予測計算可能な量だけ蓄積されると（ステップ４０２；Ｙｅｓ）、監視データ変化予測部１０２は、蓄積された帯域測定値から回線品質の傾向を検出し、外挿法によりこれからの変化を予測して帯域測定値が閾値を超えて上昇するする時刻ｔを予測する（ステップ４０３）。以下、ステップ３０４−３０８は、上述した図４のステップ２０４−２０８と同様であるから説明は省略する。
【００３５】
２．３）第３実施例
図２（Ａ）に示すOutbound構成の場合、伝送路ｆでＤＣＣ用帯域が確保され、対向するＮＥ同士でデータを送受信したときにかかる時間から帯域測定が可能である。例えば、ＮＥ１からＮＥ２へ送信されるファイルが１ｋビット、ＮＥ１からの送信開始時刻とＮＥ２での受信完了時刻との差分が１秒だとすると、帯域は１ｋｂｐｓと算定できる。
【００３６】
図２（Ｂ）のようなInbound構成の場合、上記のOutbound構成のＤＣＣ帯域測定方法以外に、ＲＮＥからＧＮＥへ転送されるアラームのデータ量によって帯域測定することも出来る。
【００３７】
図８において、ネットワーク自動切替制御装置１００の制御部１０５は、各ＮＥから対応ＮＥへ送信されるファイルのデータ量とファイルの送信開始から受信完了までの時間差分ＤｆとからＤＣＮの使用帯域を測定して監視データデータベース１０１に格納する（ステップ４０１ａ）。帯域計算式は次の通りである：
帯域[bps]＝送信データ量[bit]／Ｄｆ
ここで、Ｄｆ＝NEの受信完了時刻[s]−対抗NEの送信開始時刻[s]である。
【００３８】
監視データデータベース１０１に蓄積された帯域測定値がそれぞれ予測計算可能な量だけ蓄積されると（ステップ４０２；Ｙｅｓ）、監視データ変化予測部１０２は、蓄積された帯域測定値から回線品質の傾向を検出し、外挿法によりこれからの変化を予測して帯域測定値が閾値を超えて上昇するする時刻ｔを予測する（ステップ４０３）。以下、ステップ３０４−３０８は、上述した図４のステップ２０４−２０８と同様であるから説明は省略する。
【００３９】
２．４）効果
本実施形態によれば、ＮＭＳ１２にネットワーク自動切替制御機能を設けることで、伝送路やＤＣＮの回線状態が悪化する時期が予測できるので、コアネットワークの利用状況に応じて瞬断の影響を受けるユーザが減る時間帯にネットワーク切替（回線切替、ＧＮＥ切替、ＤＣＣ切替）を行うことが可能になる。
【００４０】
３．第２実施形態
本発明の第２実施形態によれば、コアネットワーク１０から性能監視データとトラフィックデータとを収集し、これらのデータから性能が劣化する時刻とトラフィックが低下する時間帯とを予測し、性能劣化予測時刻がトラフィックの低下予測時間帯内にあれば、その時間帯で切替をスケジューリングする。すなわち、コアネットワーク１０の利用状況が実際に低下すると予想される時間帯で性能劣化に起因するネットワーク切替を実行する。
【００４１】
図９において、ネットワーク自動切替制御装置１００の制御部１０５は、コアネットワーク１０の各ＮＥから性能監視データとトラフィックデータを含む監視データを監視ネットワーク１１を通して収集し、監視データデータベース１０１に格納する（ステップ５０１）。
【００４２】
続いて、制御部１０５は、監視データデータベース１０１に蓄積された性能監視データおよびトラフィックデータの蓄積データ量が予測計算できる程度に蓄積されたか否かを判断する（ステップ５０２）。予測計算可能なデータが蓄積されれば（ステップ５０２；Ｙｅｓ）、監視データ変化予測部１０２は、制御部１０５の指示に従って、蓄積された性能監視データから変化予測計算を実行し、性能監視データが切替判定基準値（閾値）を超えて劣化する時刻ｔを予測する（ステップ５０３）。変化予測計算には外挿法により求まる近似式を利用する。すなわち、蓄積した性能監視データの変化を検出し、それを外挿することで性能監視データがどの時刻で閾値を超えて劣化するを予測することができる。
【００４３】
同様に、監視データ変化予測部１０２は、制御部１０５の指示に従って、蓄積されたトラフィックデータから変化予測計算を実行し、トラフィックデータが所定の閾値を超えて高くなる時間帯［ｔ１，ｔ２］を予測する（ステップ５０４）。この予測時間帯［ｔ１，ｔ２］は、深夜帯のように数時間に及ぶこともあれば、それより短いこともあり得る。また、複数の予測時間帯［ｔ１，ｔ２］、［ｔ３，ｔ４］・・・が算出されることもあり得る。
【００４４】
予測時刻ｔと予測時間帯［ｔ１，ｔ２］が算出されると、判定部１０３は、制御部１０５の制御の下で、予測時刻ｔが予測時間帯［ｔ１，ｔ２］にあるかどうかを判定し、その結果を制御部１０５へ返す（ステップ５０５）。予測時刻ｔが予測時間帯［ｔ１，ｔ２］内であれば（ステップ５０５；Ｙｅｓ）、制御部１０５の指示により、スケジューラ１０４は直近の時間帯［ｔ１，ｔ２］内でネットワーク切替を実行するようにスケジューリングする（ステップ５０６）。予測時刻ｔが直近の時間帯［ｔ１，ｔ２］内でなければ（ステップ５０５；Ｎｏ）、スケジューラ１０４は次の時間帯［ｔ３，ｔ４］でネットワーク切替を実行するようにスケジューリングする（ステップ５０７）。
【００４５】
こうしてスケジューリングされた時刻に到達すれば（ステップ５０８；Ｙｅｓ）、制御部１０５はＧＮＥに対して切替を指示する（ステップ５０９）。
【産業上の利用可能性】
【００４６】
本発明は、ＮＭＳによるパス、ＤＣＮおよびＤＣＣのネットワーク自動切替指示システムに適用可能である。
【符号の説明】
【００４７】
１０  コアネットワーク
１１  監視ネットワーク
１２  ネットワーク管理システム（ＮＭＳ）
１００  ネットワーク自動切替制御装置
１０１  監視データデータベース
１０２  監視データ変化予測部
１０３  判定部
１０４  スケジューラ
１０６  ネットワークインタフェース
【図１】
2013098706.tif 000003
【図２】
2013098706.tif 000004
【図３】
2013098706.tif 000005
【図４】
2013098706.tif 000006
【図５】
2013098706.tif 000007
【図６】
2013098706.tif 000008
【図７】
2013098706.tif 000009
【図８】
2013098706.tif 000010
【図９】
2013098706.tif 000011